(57)【特許請求の範囲】
【請求項１】
箱形に形成された筐体の一つの側面に沿って直方体形状の電装品箱が配置されている空気調和機の室外機において、
上記筐体には、上記一つの側面に沿って立設する第１および第２支柱を有し、上記第１および第２支柱の間には、上下に互いに平行となるように掛け渡された第１および第２の連結板と、上記第１および第２支柱に対し平行に立設されたサブピラーとが設けられていて、
上記電装品箱の上面には、上記電装品箱を上記第１連結板に固定するための第１固定部が設けられており、上記電装品箱の上記第１支柱に対向する側面には、上記電装品箱を上記第１支柱または上記第２支柱に固定するための第２固定部が設けられているとともに、上記電装品箱の上記サブピラーに対向する側面には、上記サブピラーに上記電装品箱を回動可能に支持するヒンジ部と、上記電装品箱を上記サブピラーに固定するための第３固定部とが設けられていることを特徴とする空気調和機の室外機。
【発明の詳細な説明】
【技術分野】
【０００１】
本発明は、空気調和機の室外機に関し、さらに詳しく言えば、筐体の側面から筐体内に空気を吸い込み、筐体の天面から吹き出す大型の空気調和機の室外機に関する。
【背景技術】
【０００２】
従来の空気調和機の室外機には、側面から空気を吸込んで熱交換器にて冷媒と熱交換した後に、筐体の天面ら吹き出すものがある。この天面から空気を吹出す室外機は、ビルや商業施設などの屋上に設置され、複数の室内機と冷媒配管を介して接続される大型の室外機であり、略直方体形状の筐体と、筐体の内部に熱交換器、圧縮機、アキュムレータ、送風ファン、電装品箱等を備えている。
【０００３】
この天面から空気を吹出す室外機は、吸込口が筺体の両側面と背面に形成され、吹出口が筺体の天面に形成されている。筺体の吸込口側には、吸込口から吸込んだ空気と冷媒を熱交換する熱交換器が配置され、筺体の底面には、圧縮機やアキュムレータが配置されている。また、筺体の吹出口側には、吸込口から吸込み熱交換器で冷媒と熱交換した空気を吹出口から吹き出す送風ファンが配置されている。
【０００４】
この天面から空気を吹出す室外機としては、筐体の前面側には、圧縮機や送風ファンなどを制御するための電装部品が収納された電装品箱が配置され、この電装品箱には商用電源の電源電圧を変圧（降圧）するトランスが収納されたものが知られている（例えば、特許文献１参照）。
【０００５】
この電装品箱は、吸込口と吹出口とを結ぶ送風路内に配置され、送風路には天面の吹出口から雨水が浸入する可能性があるため、電装品箱には隙間をシール材で埋めるなどの雨水対策が施されている。
【０００６】
しかしながら、このような天面から空気を吹出す室外機において、商用電源の電源電圧が高くなると、トランスが大型化し、重さ（例えば、５．５ｋｇ）が重くなるため、このような大型のトランスが収納された電装品箱を筐体に取り付ける場合、電装品箱の総重量が重くなって電装品箱の取付け作業が困難になる。
【０００７】
この大型のトランスを取付ける位置は、筐体が大型化することがなく、熱交換器や圧縮機などの配置に影響を与えない場所が良いため、大型のトランスを電装品箱の背面に取付けることが考えられる。
【０００８】
さらに、大型のトランスを電装品箱の背面に取付ける場合には、ネジなどの取付用の部材を用いると、電装品箱の背面に取付用の孔を形成する必要があったり、ネジの先端が電装品箱の背面に突き当たってキズが付いたりするため、大型のトランスを電装品箱の背面に取付ける前後において、電装品箱の内部に雨水が浸入しないように、電装品箱の背面にも雨水対策が必要になる。
【０００９】
ところで、図１０（ａ），（ｂ）に示すように、この種の空気調和機の室外機には、標準サイズの筐体１００Ａと、標準サイズの筐体１００Ａよりも幅方向（図１０（ｂ）では左右方向）の長さが大きい筐体１００Ｂの２種類が用意されている。
【００１０】
各筐体１００Ａ，１００Ｂはともに、各ベース１１０ａ，１１０ｂの四隅から支柱１２０が立設され、その上端に天面パネル１３０を取り付けることにより、箱形に形成されている。各筐体１００Ａ，１００Ｂにはさらに、支柱１２０間に２本の連結板１４０，１４０が互いに平行となるように掛け渡されており、連結板１４０，１４０の間に電装品箱１５０がネジ止め固定されている。
【００１１】
電装品箱１５０はいずれのタイプの筐体１００Ａ，１００Ｂも共通であり、一方の側面が所定のヒンジ手段を介して連結板１４０，１４０に固定されており、ヒンジ手段によって電装品箱１５０が回動して、筐体１００Ａ，１００Ｂに出し入れできるようになっている。電装品箱１５０は閉じた状態で、その上面および下面が連結板１４０，１４０にネジ止め固定される。
【００１２】
しかしながら、電装品箱１５０に上述した大型のトランスを搭載した場合、今までの電装品箱１５０と筐体１００Ａ，１００Ｂの取付構造では、筐体１００Ａ，１００Ｂの運搬時やメンテナンス時に、電装品箱１５０の荷重を支えきれずに支柱やヒンジ手段などが破損してしまうおそれがある。
【先行技術文献】
【特許文献】
【００１３】
【特許文献１】特開２００９−１８０３８８号公報
【発明の概要】
【発明が解決しようとする課題】
【００１４】
そこで、本発明は、大型のトランスを搭載した重量の重い電装品箱を筐体に取り付けたとしても、運搬時やメンテナンス時に筐体が破損することがない空気調和機の室外機を提供することを目的とする。
【課題を解決するための手段】
【００１６】
上述した課題を解決するため、本発明は、箱形に形成された筐体の一つの側面に沿って直方体形状の電装品箱が配置されている空気調和機の室外機において、上記筐体には、上記一つの側面に沿って立設する第１および第２支柱を有し、上記第１および第２支柱の間には、上下に互いに平行となるように掛け渡された第１および第２の連結板と、上記第１および第２支柱に対し平行に立設されたサブピラーとが設けられていて、上記電装品箱の上面には、上記電装品箱を上記第１連結板に固定するための第１固定部が設けられており、上記電装品箱の上記第１支柱に対向する側面には、上記電装品箱を上記第１支柱または上記第２支柱に固定するための第２固定部が設けられているとともに、上記電装品箱の上記サブピラーに対向する側面には、上記サブピラーに上記電装品箱を回動可能に支持するヒンジ部と、上記電装品箱を上記サブピラーに固定するための第３固定部とが設けられていることを特徴としている。
【発明の効果】
【００１７】
本発明によれば、電装品箱の上面と左右の側面とのそれぞれに固定部を設けて、各固定部を介して電装品箱を筐体に固定することにより、重量の重い電装品箱を筐体に取り付けたとしても、運搬時やメンテナンス時に筐体が破損することを防止できる。また、支柱の間隔が、電装品箱の幅よりも大きくなる大型のベースを用いた場合には、支柱と支柱の間にサブピラーを設けて、一方の支柱とサブピラーで電装品箱を支持することにより、大型の筐体にも対応できる。
【図面の簡単な説明】
【００１８】
【図１】本発明による空気調和機の室外機を示す外観斜視図。
【図２】室外機の前面パネルを取外した状態を示す外観斜視図。
【図３】室外機の送風ファンを中心にして見た断面図。
【図４】室外機の前面パネルを取外して電装品箱を回動させた状態を示す外観斜視図。
【図５】図４の電装品箱からトランスユニットを取外した状態を示す要部斜視図。
【図６】図５に示すトランスユニットをＡ方向から見た要部斜視図。
【図７】室外機の電装品箱とトランスユニットを中心にして見た要部側面図。
【図８】図４をＡ方向からトランスユニットを中心にして見た部分拡大側面図。
【図９】サブピラーに電装品箱を取り付けた状態を示す部分拡大断面図。
【図１０】（ａ）従来の空気調和機の室外機の正面図、（ｂ）従来の空気調和機の室外機の正面図。
【発明を実施するための形態】
【００１９】
以下、本発明の実施形態を添付図面に基づき詳細に説明するが、本発明はこれに限定されるものではない。図１乃至図１０は、本実施形態における空気調和機の室外機１を説明する図である。
【００２０】
本実施形態における空気調和機の室外機１は、ビルや商業施設などの屋上に設置され、複数の室内機と冷媒配管を介して接続されるビル用マルチタイプの空気調和機に用いられる。本実施形態における空気調和機の室外機１では、側面の吸込口２０から空気を吸込んで冷媒と熱交換した後に天面の吹出口１３から吹き出す大型の室外機１を例に挙げて説明する。
【００２１】
空気調和機の室外機１は、図１乃至図３に示すように、筐体１０と、筐体１０の内部に収納された室外側冷媒回路３とを備えている。筐体１０は、標準タイプよりも大型で縦長な略直方体形状であり、四角形状のベース１１と、ベース１１の四方の角部または角部付近にそれぞれ立設され上端から下端まで垂直に延びる支柱１２ａ〜１２ｄと、支柱１２ａ〜１２ｄの上端に固定される吹出口１３を備えた天板１４と、前面側の支柱１２ａと支柱１２ｄを連結する連結板１５と、各支柱１２ａ〜１２ｄの上端を接続する４枚の連結パネル１６とからなる。ベース１１の下面には、筐体１０を設置場所に固定するための基礎脚１１ａが据え付けられている。これらは鋼板材をプレス加工して形成される。
【００２２】
以下において、図１において前面パネル１７のある側を前面とし、前面から見て支柱１２ａ、支柱１２ｂのある側を左側面とし、支柱１２ｃ、支柱１２ｄのある側を右側面とし、支柱１２ｂと支柱１２ｃのある側を背面とし、天板１４のある側を天面として説明する。  
【００２３】
ベース１１にはさらに、電装品箱４を取り付けるためのサブピラー１２ｅが設けられてている。サブピラー１２ｅは、金属製のコ字型フレームからなり、ベース１１の前面側（図３では右端側）からほぼ垂直に立設されている。サブピラー１２ｅの上端は、上部連結板１５（１５ｂ）に固定されている。この実施形態において、サブピラー１２ｅは、ベース１１の前面（図４では手前側）の辺の中央右寄りに配置されている。
【００２４】
図９に示すように、サブピラー１２ｅの電装品箱４に対向する側面（図９では左側面）には、電装品箱４の右側面側に設けられた第２固定片４４を支持する補強板１２ｆが設けられている。補強板１２ｆは、断面Ｌ字状のアングル鋼材であって、一方の片１２ｆ１がサブピラー１２ｅの側面に沿うように配置させてネジ止めされており、他方の片１２ｆ２がサブピラー１２ｅとは離反する方向（電装品箱４の方向）に向けて突設されている。
【００２５】
連結板１５は、支柱１２ａ（第１支柱）と支柱１２ｄ（第２支柱）のそれぞれの高さ方向の中央部に位置する下部連結板１５ａと、第１支柱１２ａと第２支柱１２ｄのほぼ上端に位置する上部連結板１５ｂとを有し、それらが互いに平行となるように配置されている。上部連結板１５ｂには、後述する電装品箱４の第１固定片４１をネジ止めするネジ止め孔が所定間隔で複数設けられている。
【００２６】
図２に示すように、下部連結板１５ａとサブピラー１２ｅとはネジ止めによって固定されており、その連結部分には、電装品箱４を回転可能に支持するための片持ち式のヒンジ２６が設けられている。
【００２７】
同様に、上部連結板１５ｂとサブピラー１２ｅとはネジ止めによって固定されており、その連結部には、電装品箱４を回転可能に支持するための片持ち式のヒンジ２５が設けられている。
【００２８】
これによれば、電装品箱４の右側面に設けられた軸受孔２７に各ヒンジ２５，２６を連結することにより、電装品箱４が、左側面側を自由端側として回動可能に支持される。電装品箱４を回動させて筐体１０の外に引き出すことにより、筐体１０内で電装品箱４の奥側に配置されている室外側冷媒回路３の各部品がメンテナンス可能となる。
【００２９】
前面側の支柱１２ａと支柱１２ｄの間には前面側を覆う前面パネル１７が取り付けられている。前面パネル１７は、連結パネル１６の下側に配置される上部前面パネル１７ａと、上部前面パネル１７ａの下側に配置される下部前面パネル１７ｂとからなり、それぞれ支柱１２ａと支柱１２ｄにネジで着脱自在に取り付けられ、図２に示すように設置時やメンテナンス時には取り外すことができる。
【００３０】
天板１４の中央が開口された吹出口１３はファンガード１８で覆われている。吹出口１３の内部には、図３に示すように、送風ファン１９と送風ファン１９を取り囲むベルマウス（図示省略）が配置されている。送風ファン１９は連結パネル１６に固定されたモータ支持台２２に据付けられたファンモータ２３により回転駆動される。また、支柱１２ａと支柱１２ｂ、支柱１２ｂと支柱１２ｃ、支柱１２ｃと支柱１２ｄの間はそれぞれ吸込口２０が形成されている。
【００３１】
図２に示すように、空気調和機の室外機の設置時やメンテナンス時に前面パネル１７を取り外すと、筺体１０の内部には、室外側冷媒回路３と、電装品箱４と、連結板１５が現れる。
【００３２】
室外側冷媒回路３は、熱交換器３１、圧縮機（図示省略）、圧縮機用アキュムレータ（図示省略）、オイルタンク（図示省略）、レシーバータンク（図示省略）、アキュムレータ３２と、操作弁３３などの部品およびこれらの部品を接続する冷媒配管（図示省略）等とからなる。
【００３３】
熱交換器３１は、ベース１１上に背面と左右側面の三方の吸込口２０に沿ってコ字型に設けられる。圧縮機と圧縮機用アキュムレータは、筺体１０内の前面側に鋼板材を折り曲げ加工して形成した空間を圧縮機室３５として形成し、その圧縮機室３５の内部にそれぞれ配置されている。
【００３４】
上記の構成により、吸込口２０と吹出口１３を結ぶ送風路２４が形成され、送風ファン１９の回転により筺体１０の三方の吸込口２０から吸い込まれた空気は、送風路２４を通る間に、熱交換器３１で冷媒と熱交換し、筐体１０のベルマウスと送風ファン１９で上部に導かれ吹出口１３から吹き出される。
【００３５】
電装品箱４は、前面側は前面パネル１７（より具体的には上部前面パネル１７ａ）の裏側を向き、背面側は送風路２４に向くように配置され、送風路２４を通過する空気に晒されるようになっている。
【００３６】
図２および図３に示すように、電装品箱４は、鋼板材を折り曲げ加工して形成した前面が開口された箱状の電装品箱本体４０と、電装品箱本体４０の前面の開口を塞ぐように取付けられた電装品箱蓋４１とからなる。電装品箱本体４０の左側面には作業者が電装品箱４を持つための把手４２を備えている。
【００３７】
図５および図６に示すように、電装品箱本体４０は、背面４０１ａと左側面４０１ｂと右側面４０１ｃからなる背面板４０１と、四辺から下方にフランジがある箱型で背面板４０１の上端の一部に被さる上面板４０２と、背面板４０１の左側面４０１ｂと右側面４０１ｃの内面に背面板４０１を補強するために固着される側面板（図示省略）とからなる。電装品箱蓋４１は、背面板４０１に固着される側面板の前端の折り曲げられた部分にネジ止め固定されている。
【００３８】
電装品箱本体４０の背面板４０１には、内面に圧縮機や送風ファン１９などを制御するための各種の電装部品が取付けられている。電装品箱蓋４１の下端側は、Ｌ字状に折り曲げられた折曲部（図示省略）に沿ってシール部材（図示省略）が貼り着けられ、シール部材が電装品箱４の下面開口から引き出されるケーブル（図示省略）に密着するため、ケーブルの隙間から虫や雨水などの侵入を防ぐ。
【００３９】
従来の空気調和機の室外機においては、電装品箱の内部に取付けられる大型で重い電装部品の一つとして商用電源の電圧を変圧するトランスがある。本実施形態の空気調和機の室外機１においては、図７と図８に示すように、この大型の重い重量物からなる電装部品に相当するトランスとして、例えば、商用電源の電源電圧４６０Ｖを電源電圧２３０Ｖに変圧（降圧）する、重さが例えば５．５ｋｇとなる大型の電源トランス７２を用いている。
【００４０】
しかしながら、従来の空気調和機の室外機と同じように、内部に大型の電源トランス７２を搭載した電装品箱４を筐体１０に配置する場合、電装品箱４の総重量が増して電装品箱４の取付け作業が困難になる。
【００４１】
そこで、本実施形態の空気調和機の室外機１においては、電装品箱４と大型の電源トランス７２を筐体１０に配置する際、電装品箱４と大型の電源トランス７２とを別々に取付けることができる構成になっている。
【００４２】
電装品箱本体４０は、図３乃至図６に示すように、電装品箱本体４０の背面板４０１に電源トランス７２を搭載したトランスユニット７が取付けられている。電装品箱本体４０の背面板４０１には、トランスユニット７を取付けるための左右一対の縦長形状の背面固定具６が固定されている。
【００４３】
背面固定具６は、電装品箱本体４０の背面板４０１に、電装部品のうちの発熱部品を冷却するヒートシンク５が配置されない位置に固定されている。背面固定具６とトランスユニット７は、図３と図４に示すように、圧縮機室３５の上方で室外側冷媒回路３の熱交換器３１、アキュムレータ３２よりも前方の位置にあり、周囲には圧縮機や操作弁３３やファンモータ２３と電装品箱４内の電装部品を接続するケーブル（図示省略）が納まっているだけで、熱交換器３１や圧縮機などの部品の配置に影響を与えることがない。
【００４４】
しかしながら、背面固定具６とトランスユニット７は、吸込口２０と吹出口１３を結ぶ送風路２４に配置され、天井の吹出口１３から送風路２４に雨水が浸入する可能性があるため、電装品箱本体４０の背面板４０１とトランスユニット７に対して雨水対策が必要となる。
【００４５】
背面固定具６は、図５および図６に示すように、電装品箱本体４０の背面板４０１から電装品箱４内に雨水が浸入するのを防ぐため、電装品箱本体４０の背面板４０１に取付用の孔を開けることなく、電装品箱本体４０の背面板４０１にスポット溶接により溶着されている。
【００４６】
背面固定具６には、トランスユニット７を取付けるための第１取付孔６１と第２取付孔６２とが設けられている。第１取付孔６１は、背面固定具６の延在方向に沿って配置された縦長で、一部が幅方向に切り欠かれた逆Ｌ字形状の貫通孔であって、トランスユニット７に設けられた、左固定片７１ａが引っ掛けられるようになっている。
【００４７】
第２取付孔６２は、背面固定具６の延在方向に沿って配置された縦長に形成された貫通孔であり、トランスユニット７に設けられた、右固定片７１ｂが挿入されるようになっている。第１取付孔６１と第２取付孔６２は、背面固定具６の延在方向に沿って交互に配置されており、さらにそれらが左右の背面固定具６，６で互い違いとなるように配置されている。これにより、同一構造の背面固定具６を上下反転して左側用と右側用として固定できるようになっている。
【００４８】
図６に示すように、電装品箱本体４０の上面板４０１には、電装品箱４を筐体１にネジ止め固定するための第１固定片４３（第１固定部）が設けられている。第１固定片４３は、電装品箱４０の前面側からほぼ垂直に立設されたフランジ状の金属板であり、その一部にはネジ止め用のネジ挿通孔４３１が設けられている。第１固定片４３は、上部連結板１５ｂに設けられた図示しないネジ止め孔にネジ止めすることにより、電装品箱４の上端が筐体１０に固定される。
【００４９】
再び図５を参照して、電装品箱本体４０の右側面側の側面板４０４には、電装品箱４を支柱１２ａに固定するための第２固定片４５（第２固定部）が設けられている。第２固定片４５は、Ｌ字型の金属板からなり、一方の第１固定片メンバー４５１が電装品箱４０の側面板４０４にスポット溶接によって固定されている。
【００５０】
他方の第２固定片メンバー４５２は、第１支柱１２ａの前面に沿って平行となるように、側面板４０４から突設され、背板４０１に沿ってほぼ同一平面となるように配置されている。固定片４５２には、ネジ止め用のネジ孔４５３が複数設けられている。
【００５１】
これによれば、電装品箱４を閉じることにより、第２固定片４５の第２固定片メンバー４５２が第１支柱１２ａの前面の一部に沿って当接し、その状態でネジ止め固定することにより、電装品箱４の左側面を第１支柱１２ａに強固に固定することができる。
【００５２】
電装品箱本体４０の左側面側（ヒンジ２５，２６側）の側面板４０３には、電装品箱４０をサブピラー１２ｅの補強片１２ｆにネジ止めするための第３固定片４４（第３固定部）が設けられている。第３固定片４４は、１枚の金属板をＷ型に折り曲げ加工したものからなり、側面板４０３に対向する第１突き当て片４４１と、筐体１０の補強板１２ｆに沿って当接する第２突き当て片４４２とが両端に形成されている。
【００５３】
第３固定片４４は、第１突き当て片４４１を電装品箱本体４０の側面板４０３に沿って突き当てた状態でスポット溶接によって一体的に取り付けられている。第２突き当て片４４２には、ネジ止め用のネジ止め孔４４４が複数設けられている。
【００５４】
これによれば、図９に示すように、電装品箱４を閉じた状態とすることで、第３固定片４４の第２突き当て片４４２が補強板１２ｆに対して平行に突き当る。この状態で第３固定片４４を補強板１２ｆとともにネジ止めすることで、電装品箱４の右側面をサブピラー１２ｅに固定することができる。
【００５５】
一方、トランスユニット７は、図６および図７に示すように、トランスユニット７内に雨水が浸入するのを防ぐため、大型の電源トランス７２を覆い隠す構造になっている。
【００５６】
トランスユニット７は、左側および右側の背面固定具６に固定される略正方形状の板金製のベース板７１と、ベース板７１に固定される大型の電源トランス７２と、ベース板７１に固定され、大型の電源トランス７２を覆う箱状の板金製のカバー７３とからなる。本発明において、トランスユニット７の具体的な構成および取付方法は任意であってよく、その説明は省略する。
【００５７】
次に、組立てたトランスユニット７の背面固定具６への取付について説明する。トランスユニット７の背面固定具６への取付は、図４に示すように、まず、電装品箱４を筐体１０の前面側に回動し、電装品箱本体４０の背面板４０１に固定された背面固定具６が見えるようにする。
【００５８】
その後、床面などに置いたトランスユニット７を手で持ち上げた状態で、ベース板７１の左固定片７１ａを、左側の背面固定具６の背面に形成された逆Ｌ字形状の孔６１の下端に引っ掛けて嵌合させる。
【００５９】
この状態において、トランスユニット７が左側の背面固定具６に片持ち状態になっているため、トランスユニット７を右側の背面固定具６側に回動することで、ベース板７１の右固定片７１ｂを、右側の背面固定具６の背面に形成された縦長矩形状の孔６２に嵌合させる。
【００６０】
次に、ベース板７１を図示しないネジで左側および右側の背面固定具６に取付けることで、トランスユニット７が電装品箱４の背面に固定される。
【００６１】
次に、背面固定具６へ取付けられたトランスユニット７は、図２に示すように、筐体１０の背面側に電装品箱４を回動させ、電装品箱４を筐体１０の第１支柱１２ａ、サブピラー１２ｅにネジ（図示省略）で固定すると、図１０に示すように、ベース板７１の下フランジ７１ｅが筐体１０の連結板１５に当接し支持されるため、電装品箱４とトランスユニット７の荷重を連結板１５で受けることができ、筐体１０の支柱１２ａ、支柱１２ｅへの電装品箱４の固定状態を補強することができる。
【００６２】
この実施形態において、筐体１０は、大型のベース１１が用いられており、サブピラー１２ｅを設けて補強し、そこに電装品箱４をネジ止めしているが、本発明の電装品箱４は、標準タイプのベースを用いた筐体にも適用することができる。その場合、サブピラー１２ｅに代えて、第２支柱１２ｂに電装品箱４の右側面が直接固定される。このような態様も本発明に含まれる。
【００６３】
以上説明したように、本発明によれば、電装品箱の上面と左右の側面とのそれぞれに固定部を設けて、各固定部を介して電装品箱を筐体に固定することにより、重量の重い電装品箱を筐体に取り付けたとしても、運搬時やメンテナンス時に筐体が破損することを防止できる。また、支柱の間隔が、電装品箱の幅よりも大きくなる大型のベースを用いた場合には、支柱と支柱の間にサブピラーを設けて、一方の支柱とサブピラーとで電装品箱を支持することにより、大型の筐体にも対応できる。
【符号の説明】
【００６４】
１  室外機
１０  筐体
１１  ベース
１１ａ  基礎脚
１２ａ〜１２ｄ  支柱
１２ｅ  サブピラー
１２ｆ  補強板
１３  吹出口
１４  天板
１５  連結板
１６  連結パネル
１７  前面パネル
１７ａ  上部前面パネル
１７ｂ  下部前面パネル
１８  ファンガード
１９  送風ファン
２０  吸込口
２２  モータ支持台
２３  ファンモータ
２４  送風路
２５、２６  片持ちヒンジ
３  室外側冷媒回路
３１  熱交換器
３２  アキュムレータ
３３  操作弁
３５  圧縮機室
４  電装品箱
４０  電装品箱本体
４０１  背面板
４０２  上面板
４０３  側面板
４０４  側面板
４１  電装品箱蓋
４２  把手
４３  第１固定片（第１固定部）
４４  第３固定片（第３固定部）
４５  第２固定片（第２固定部）
５  ヒートシンク
６  背面固定具
６１  第１取付孔
６２  第２取付孔
７  トランスユニット
７１  ベース板
７１ａ  左固定片
７１ｂ  右固定片
７２  トランス
７３  カバー
【図１】
0006344567.tif 000002
【図２】
0006344567.tif 000003
【図３】
0006344567.tif 000004
【図４】
0006344567.tif 000005
【図５】
0006344567.tif 000006
【図６】
0006344567.tif 000007
【図７】
0006344567.tif 000008
【図８】
0006344567.tif 000009
【図９】
0006344567.tif 000010
【図１０】
0006344567.tif 000011